(57)【要約】【課題】  狭隘地等施工スペースが少ない場所においても、施工効率を向上させて、コストの低減を図ることができる多層建築構造物の構築装置及び構築方法を提供する。【解決手段】  水平方向において移動自在であり、建築部材を組みたてて躯体を構築する第１のクレーン３と、第１のクレーン３と建築部材を鉛直方向において搬送する昇降装置１と、を備えた多層建築構造物の構築装置であって、昇降装置１は、建築すべき建築構造物に隣接して立設されたマスト１１と、マスト１１に沿って昇降し、第１のクレーン３を載置し、マスト１１に沿って昇降する平面台１２と、平面台１２に設けられ、建築部材を垂直方向及び平面方向において搬送する第２のクレーン１４と、を備えている。【選択図】  図１
2005171593.tif 000002
【特許請求の範囲】
【請求項１】
水平方向において移動自在であり、建築部材を組みたてて躯体を構築する第１のクレーンと、
この第１のクレーンと建築部材を鉛直方向において搬送する昇降装置と、を備えた多層建築構造物の構築装置であって、
前記昇降装置は、建築すべき建築構造物に隣接して立設されたマストと、
前記第１のクレーンを載置し、前記マストに沿って昇降する平面台と、
前記平面台に設けられ、建築部材を鉛直方向及び平面方向において搬送する第２のクレーンと、を備えていることを特徴とする多層建築構造物の構築装置。
【請求項２】
前記昇降装置によって搬送された建築部材を水平方向に搬送する台車と、
この台車と第１のクレーンの走行路となる走行レールと、を備えていることを特徴とする請求項１に記載の多層建築構造物の構築装置。
【請求項３】
請求項１又は請求項２に記載の多層建築構造物の構築装置を用いた多層建築構造物の構築方法であって、
建築すべき構造体に隣接して前記昇降装置を設置する第１工程と、
前記昇降装置を用いて、第１のクレーンと建築部材を鉛直方向において搬送する第２工程と、
前記第１のクレーンを用いて、１層又は２層の躯体を構築する第３工程と、を行った後、前記第２工程と第３工程を行うことを特徴とする多層建築構造物の構築方法。
【請求項４】
請求項２に記載の多層建築構造物の構築装置を用いた多層建築構造物の構築方法であって、
前記第２工程を行った後、
前記第１のクレーンを用いて走行レールを設置する工程と、
躯体を構築すべき箇所まで第１のクレーンを走行させる工程と、
前記台車を用いて、建築部材を第１のクレーンの側まで搬送する工程と、を行うことを特徴とする請求項３に記載の多層建築構造物の構築方法。
【請求項５】
前記建築部材は、プレキャスト化されていることを特徴とする請求項１から請求項４のいずれかに記載の多層建築構造物の構築装置又は構築方法。
【発明の詳細な説明】
【技術分野】
【０００１】
本発明は、建築分野における多層建築構造物の構築装置及び構築方法に関するものである。
【背景技術】
【０００２】
多層建築構造物の上層部の構築を行う際には、建築部材を上層部まで揚重する必要があり、従来、固定式クレーンを建築構造物の内部又は辺部に設置して、建築部材の揚重を行っていた。しかし、前記建築構造物の内部又は辺部に固定式クレーンを設置すると、その設置部分を構築することができないため、固定式クレーンを設置していた部分を後施工しなければならず、建築工期の増大、コストの増大を招いていた。また、このような後施工を避けるために、固定式クレーンを建築構造物の周辺に設置して構築することが考えられる。しかし、固定式クレーンを建築構造物の周辺に設置すると、吊り荷までの距離が大きくなるため、近接して配置した場合と比較して、クレーンの能力を大きくする必要となり、コストの増大を招いてしまう。
【０００３】
また、建築構造物の構築における工期の短縮を図るための手段としてプレキャスト工法があるが、プレキャスト工法におけるプレキャスト化された建築部材は荷重が大きいため、よりクレーンの負担が大きくなり、プレキャスト工法を採用してもコストの低減を図ることができなかった。これらの問題より、都市部で多い狭隘地での建築構造物の構築は、現場において、鉄筋工事、型枠工事、コンクリート工事等を行う在来工法で施工しており、工期短縮を図ることが難しかった。
【発明の開示】
【発明が解決しようとする課題】
【０００４】
本発明は、このような問題を鑑みてなされたものであり、狭隘地等施工スペースが少ない場所においても、施工効率を向上させて、コストの低減を図ることができる多層建築構造物の構築装置及び構築方法を提供することを技術的課題とする。
【課題を解決するための手段】
【０００５】
本発明は、多層建築構造物の構築装置であり、上記技術的課題を解決するために以下のように構成されている。本発明は、水平方向において移動自在であり、建築部材を組みたてて躯体を構築する第１のクレーンと、この第１のクレーンと建築部材を鉛直方向において搬送する昇降装置と、を備えた多層建築構造物の構築装置であって、前記昇降装置は、建築すべき建築構造物に隣接して立設されたマストと、前記第１のクレーンを載置し、前記マストに沿って昇降する平面台と、前記平面台に設けられ、建築部材を鉛直方向及び平面方向において搬送する第２のクレーンと、を備えていることを特徴とする。
【０００６】
前記構築装置を用いることにより、昇降装置を用いて建築部材と第１のクレーンを鉛直方向において搬送して、この搬送した建築部材を第２のクレーンによって水平方向に搬送し、適宜な箇所において１層又は２層分の躯体を構築することができる。このような構築方法によれば、前記昇降装置は、鉛直方向の移動のみで良いため、その構造が簡易で小さな能力のものを用いることができ、小型化を図ることができる。従って、設置面積を小さくすることができ、建築構造物に隣接して設置することが可能となる。一方、前記第１のクレーンは、昇降装置によって昇降された建築部材を水平方向において搬送し、躯体を組み立てる。すなわち、この第１のクレーンは、水平方向の移動と、１層又は２層分の躯体の構築とを行うことが可能なものであれば良いため、その構造が簡易で小さな能力のものを用いることができ、小型化を図ることができる。また、前記昇降装置のマストは、構築
すべき建築構造物に隣接して配置されているため、施工箇所の近くまで建築部材を搬送して、躯体を構築することができる。そのため、第１のクレーンに過大な能力を必要とせず、好適である。
【０００７】
また、１層又は２層分の躯体を構築した後、その上層を構築する場合には、前記第１のクレーンを昇降装置上に移動させて、昇降装置によって施工すべき上層部分へ揚重することができる。そして再び、第１のクレーンを用いて１層又は２層分の構築する。これを繰り返すことにより、多層建築構造物を効率よく構築することができる。
【０００８】
さらに、前記昇降装置の平面台には第２のクレーンが設けられているため、この第２のクレーンを用いて建築部材を搬送することができる。この第２のクレーンを用いることにより、建築部材を容易に揚重することができるため、施工効率を更に向上させることができる。加えて、前述のように、施工階における水平方向での建築部材の搬送は、第１のクレーン又は台車を用いて搬送する。特に、昇降装置と構築すべき箇所が離れている場合には、水平方向に移動可能な台車を用いると作業の効率を向上させることができる。しかし、昇降装置と構築すべき箇所が近い場合には、昇降装置から台車等を用いて建築部材を搬送すると、台車等に一旦載置する時間を要し、却って作業効率を低下させる恐れがある。このような場合には、第２のクレーンを用いて、建築部材を構築すべき箇所に搬送することにより、更に施工効率を向上させることができる。
【０００９】
加えて、本発明に係る多層建築構造物の構築装置は、前記昇降装置によって搬送された建築部材を水平方向に搬送する台車と、この台車と第１のクレーンの走行路となる走行レールと、を備えていることが望ましい。
【００１０】
本発明は、前記台車を用いることにより、台車によって建築部材を第１のクレーン側まで搬送しつつ、第１のクレーンによって躯体を構築することができ、建築部材の搬送と躯体の構築を併行して行うことができる。そのため、作業効率を向上させることが可能となる。特に、大規模な建築構造物等平面の面積が大きい場合に、好適に用いることができる。
【００１１】
本発明に用いる第１のクレーン及び台車は、種々の装置を用いることができるが、装置によっては、走行レールを要するものもある。このような装置を用いる場合には、前記第１のクレーンを用いて、走行レールを設置、分解することが望ましい。第１のクレーンを用いて、躯体を構築し、その構築した箇所から走行レールを分解し、この分解した走行レールを構築した部分の上部に載置する。次いで、上層部分を構築する際には、分解された走行レールは上層部分に載置されているため、この走行レールを設置するのみで良い。このように、第１のクレーンを用いて走行レールの設置、分解を行うことにより、効率よく作業を行うことができ、工期及びコストの縮減を図ることができる。
【００１２】
また、本発明は、前述の構築装置を用いた多層建築構造物の構築方法であって、建築すべき構造体に隣接して前記昇降装置を設置する第１工程と、前記昇降装置を用いて、第１のクレーンと建築部材を鉛直方向において搬送する第２工程と、前記第１のクレーンを用いて、１層又は２層の躯体を構築する第３工程と、を行った後、前記第２工程と第３工程を行うことを特徴とする。
【００１３】
本発明は、前記構築方法によっても、昇降装置を用いて建築部材と第１のクレーンを鉛直方向において搬送して、この搬送した建築部材を第１のクレーンによって水平方向に搬送し、適宜な箇所において１層又は２層分の躯体を構築することができる。そしてこの第２工程と第３工程を繰り返すことにより、多層建築構造物を効率よく構築することができる。
【００１４】
さらに、本発明に係る多層建築構造物の構築方法は、第２工程を行った後、前記第１のクレーンを用いて走行レールを設置する工程と、構築すべき箇所まで第１のクレーンを走行させる工程と、前記台車を用いて、建築部材を第１のクレーンの側まで搬送する工程と、を行うことが望ましい。
【００１５】
本発明は、多層に形成される種々の建築構造物の構築に好適に用いることができるが、例えば、鉄筋コンクリート構造におけるプレキャスト工法における建築構造物に好適に用いることができる。前記プレキャスト工法は、工場にて予め、複数のブロック毎に組みたててプレキャスト化部材として、これらのプレキャスト化部材を現場にて組みたてる。そのため、１つあたりの建築部材の重量が重いものが多く、従来の工法においては、特に、揚重する第１のクレーンの負荷が大きく、コスト及び工期の増大化が顕著であった。しかし、本発明に係る構築方法は、昇降装置と第１のクレーンの両方を用いて躯体を構築するため、重量の重い建築部材であっても、昇降装置及び第１のクレーンの負荷を軽減させることが可能となる。従って、本発明に係る多層建築構造物の構築方法は、プレキャスト工法において好適に用いることができる。
【発明の効果】
【００１６】
以上のように本発明に係る多層建築構造物の構築装置及び構築方法によれば、狭隘地等施工スペースが少ない場所においても、施工効率を向上させて、コストの低減を図ることができる。また、昇降装置で建築部材の揚重を行い、第１のクレーンで躯体を構築するため、吊り荷となる建築部材に近いところで作業を行うことができ、各々のクレーンに係る負荷を低減することが可能となる。さらに、施工スペースの少ない場所においても、重量の重い鉄筋コンクリート造の建築構造物であってもプレキャスト工法にて施工することができるため、品質、安全性を向上させることができるとともに、更なる工期の短縮化を図ることが可能となる。
【発明を実施するための最良の形態】
【００１７】
以下、図面に基づいて、本発明に係る多層建築構造物の構築の一実施形態を詳細に説明する。本実施の形態は、鉄筋コンクリート製の１２階建ての集合住宅のプレキャスト工法による構築である。図１は、本実施の形態に係る集合住宅の構築方法の説明概略図であり、図２は、図１のＡ矢視図、図３は、図１の平面図である。まず、本実施の形態に用いる装置について説明する。集合住宅の建築部材を施工階に昇降させるための昇降装置１と、この昇降装置１で昇降させた建築部材を施工階において水平方向に搬送する台車２と、この台車２が搬送した建築部材を組みたてる第１のクレーン３と、この第１のクレーン３と台車２を水平方向において移動させるための走行レール４と、を備えている。
【００１８】
前記昇降装置１は、施工すべき集合住宅に隣接して配置されており、鉛直方向において立設された２本のマスト１１と、このマスト１１に沿って昇降する平面台１２と、仕上げ材を搭載しマスト１１に沿って昇降する資材搬入バケット１３と、この資材搬入バケット１３と平面台１２を昇降させるためのリフト（図示せず）と、前記平面台１２に設けられ、建築部材を搬送する第２のクレーンとしての荷取りクレーン１４と、を備えている。この昇降装置１は、建築部材と第１のクレーン３と台車２とを鉛直方向において移動させるとともに、平面台１２に設けられた荷取りクレーン１４を用いて建築部材を台車２に載置する。
【００１９】
前記第１のクレーン３は、水平方向に移動可能であり、プレキャスト化された建築部材を組みたてて躯体を構築する。この第１のクレーン３は、水平方向において適宜の場所に移動して躯体を構築することができるため、従来の工法におけるクレーンと比較して、小さなものを採用することができる。また、この第１のクレーン３と台車２を走行させるた
めの走行レール４も、第１のクレーン３を用いて敷設、撤去する。
【００２０】
次いで、図面に基づいて、本実施の形態に係る集合住宅の構築方法を詳細に説明する。まず、第１のクレーン３を載置した状態で平面台１２を上昇させて、第１のクレーン３を施工すべき階に搬送する。この第１のクレーン３を用いて、台車２と走行レール４を施工階に搬送する。これらの装置を施工階まで搬送したら、第１のクレーン３を用いて走行レール４を敷設し、第１のクレーン３を施工箇所に移動する。この第１のクレーン３を移動している際に、昇降装置１の荷取りクレーン１４を用いて建築部材を揚重し、台車２に載置する。この台車２を用いて、建築部材をクレーン３の側まで搬送する。そして、クレーン３を後退させながら、順次躯体を構築する（図４参照）。
【００２１】
このようにして躯体の構築を進めて、第１のクレーン３で建築部材を直接荷取りできる距離まで躯体の構築が進んだ時、第１のクレーン３を昇降装置１の平面台１２上に移動させるとともに、第１のクレーン３を用いて台車２と走行レール４を上層階へ載置する。そして、施工階における最後のブロックを構築する際には、第１のクレーン３を昇降装置１のマスト１１に固定して、反力を受けられるようにする。このようにして、残りの部分を構築する（図５参照）。
【００２２】
このようにして、１階分の構築が完了したら、第１のクレーン３を載置した状態で平面台１２を上昇させる。次いで、新たに構築すべき施工階に、第１のクレーン３を用いて走行レール４を敷設する（図６参照）。
【００２３】
次いで、マスト１１に固定していた第１のクレーン３の固定を外し、第１のクレーン３を施工すべき箇所に移動させる。さらに、台車２を走行レール４上に移動させる（図７参照）。そして、再び、台車２を用いて建築部材をクレーン３側まで搬送しつつ、第１のクレーン３を用いて躯体を構築する。この工程を繰り返すことにより、１２階の集合住宅を構築することができる。
【００２４】
本実施の形態では、前記構築方法を用いることにより、鉄筋コンクリート造の集合住宅を効率よく構築することができる。図８は、従来工法と本実施の形態に係る構築方法とを比較した工程表である。この図８からわかるように、本実施の形態に係る構築方法によれば、従来工法と比較して工期を大幅に短縮することが可能となり、本実施の形態においては、従来工法と比べて１．５カ月短縮することができる。
【図面の簡単な説明】
【００２５】
【図１】本実施の形態に係る集合住宅の構築の説明概略図である。
【図２】図１のＡ矢視図である。
【図３】図１の平面図である。
【図４】実施の形態に係る集合住宅の構築工程の説明図である。
【図５】実施の形態に係る集合住宅の構築工程の説明図である
【図６】実施の形態に係る集合住宅の構築工程の説明図である
【図７】実施の形態に係る集合住宅の構築工程の説明図である
【図８】本実施の形態に係る構築方法と従来工法の工程表である。（ａ）は本実施の形態に係る構築方法であり、（ｂ）は従来工法である。
【符号の説明】
【００２６】
１  昇降装置
１１  マスト
１２  平面台
１３  資材搬入バケット
１４  荷取りクレーン
２  台車
３  第１のクレーン
４  走行レール
【図１】
2005171593.tif 000003
【図２】
2005171593.tif 000004
【図３】
2005171593.tif 000005
【図４】
2005171593.tif 000006
【図５】
2005171593.tif 000007
【図６】
2005171593.tif 000008
【図７】
2005171593.tif 000009
【図８】
2005171593.tif 000010